(57)【要約】【課題】身体を冷えさせたり、座っている人の着衣が見えるため、着衣の状態に気を配る必要があるという問題を解消することができるようにしながら、袖部が椅子を机の空間に収納する際に邪魔になるという問題を解消することができるようにした椅子用座布団を提供すること。【解決手段】椅子に装着して使用する、座部１１の両側に袖部１２を付設してなる座布団であって、袖部１２を座部１１の表面に沿って内側に倒伏させた状態と起立させた状態とに選択的に維持することができる起伏維持機構２を備える。【選択図】図１
2016112204.tif 000002
【特許請求の範囲】
【請求項１】
椅子に装着して使用する座部の両側に袖部を付設してなる座布団において、前記袖部を座部の表面に沿って内側に倒伏させた状態と起立させた状態とに選択的に維持することができる起伏維持機構を備えてなることを特徴とする椅子用座布団。
【請求項２】
起伏維持機構が、袖部の基部と、座部の袖部の基部の接続箇所とに配設された磁着手段からなることを特徴とする請求項１記載の椅子用座布団。
【請求項３】
起伏維持機構が、袖部の基部と、座部の袖部の基部の接続箇所とに配設されたファスナからなることを特徴とする請求項１又は２記載の椅子用座布団。
【請求項４】
椅子に座った状態で膝部を包み込むことができるようにしたシート材を用いた膝掛け部を、取着手段を介して一体的に取り付けるようにしたことを特徴とする請求項１、２又は３記載の椅子用座布団。
【発明の詳細な説明】
【技術分野】
【０００１】
本発明は、椅子に装着して使用する座布団に関するものである。
【背景技術】
【０００２】
従来、事務用として汎用されている椅子には、肘掛けが備えられているものがあるが、この肘掛けは、座面側から立ち上げた支持部材を介して取り付けられているのが一般的である。
このため、この種の椅子においては、椅子の肘掛けと座面との間に大きな空間が形成され、この空間を通して、空気が流通するため、身体を冷えさせたり、座っている人の着衣が見えるため、着衣の状態に気を配る必要があるという問題があった。
また、肘掛けが備えられている椅子の場合、椅子を机の空間に収納しようとしても、肘掛けが邪魔になるという問題があった。
【０００３】
一方、肘掛けが備えられていない椅子の場合、椅子を机の空間に収納する際の上記の問題点がない反面、空気の流通を遮断するものがないため、身体を冷えさせたり、座っている人の着衣が見えるため、着衣の状態に気を配る必要があるという問題があった。
【０００４】
ところで、本件出願人は先に、従来、事務用として汎用されている椅子における、身体を冷えさせたり、座っている人の着衣が見えるため、着衣の状態に気を配る必要があるという問題を解消することができる、袖部を備えた座布団を提案した（特許文献１参照。）。
【先行技術文献】
【特許文献】
【０００５】
【特許文献１】特許第４２９１３３９号公報
【発明の概要】
【発明が解決しようとする課題】
【０００６】
しかしながら、特許文献１に記載のものも、袖部を座部の全長に亘って設けるようにした場合、袖部が椅子を机の空間に収納する際に邪魔になるという問題があった。
【０００７】
また、保温のために、膝掛けが使用されているが、膝掛けを単独で用いる場合、膝掛けがずり落ちやすいという問題があるほか、この種の椅子の肘掛けは、その長さが、椅子の座部の前端から後端までの長さよりかなり短い長さしかないものが多いため、不使用時に膝掛けの垂れ下がった部分が床面に接触し、膝掛けが汚れるという問題があった。
【０００８】
本発明は、上記従来の椅子の有する問題点に鑑み、座布団の袖部を座部のほぼ全長に亘って設けるようにすることによって、身体を冷えさせたり、座っている人の着衣が見えるため、着衣の状態に気を配る必要があるという問題を解消することができるようにしながら、袖部が椅子を机の空間に収納する際に邪魔になるという問題を解消することができるようにした椅子用座布団を提供することを第１の目的とする。
【０００９】
また、本発明は、膝掛けを使用する場合の問題を解消することができるようにした椅子用座布団を提供することを第２の目的とする。
【課題を解決するための手段】
【００１０】
上記第１の目的を達成するため、本発明の椅子用座布団は、椅子に装着して使用する座部の両側に袖部を付設してなる座布団において、前記袖部を座部の表面に沿って内側に倒伏させた状態と起立させた状態とに選択的に維持することができる起伏維持機構を備えてなることを特徴とする。
【００１１】
この場合において、起伏維持機構を、袖部の基部と、座部の袖部の基部の接続箇所とに配設された磁着手段から構成することができる。
【００１２】
また、起伏維持機構を、袖部の基部と、座部の袖部の基部の接続箇所とに配設されたファスナから構成することができる。
【００１３】
さらに、上記第２の目的を達成するため、本発明の椅子用座布団は、椅子に座った状態で膝部を包み込むことができるようにしたシート材を用いた膝掛け部を、取着手段を介して一体的に取り付けるようにしたことを特徴とする。
【発明の効果】
【００１４】
本発明の椅子用座布団によれば、椅子に装着して使用する座部の両側に袖部を付設してなる座布団において、前記袖部を座部の表面に沿って内側に倒伏させた状態と起立させた状態とに選択的に維持することができる起伏維持機構を備えてなるようにすることにより、袖部を座部のほぼ全長に亘って設けるようにした袖部を起立させた状態に維持することによって、従来の椅子が有する、身体を冷えさせたり、座っている人の着衣が見えるため、着衣の状態に気を配る必要があるという問題を解消することができる。
また、本発明の椅子用座布団を、特に、肘掛けが備えられていない椅子に適用することにより、袖部を座部の表面に沿って内側に倒伏させた状態に維持することによって、袖部が椅子を机の空間に収納する際の邪魔にならず、椅子を机の空間に収納することができる。
【００１５】
また、起伏維持機構を、袖部の基部と、座部の袖部の基部の接続箇所とに配設された磁着手段から構成したり、袖部の基部と、座部の袖部の基部の接続箇所とに配設されたファスナから構成することにより、起伏維持機構を簡易な構造にすることができる。
【００１６】
さらに、椅子に座った状態で膝部を包み込むことができるようにしたシート材を用いた膝掛け部を、取着手段を介して一体的に取り付けるようにすることにより、膝掛けを単独で用いる場合の、膝掛けがずり落ちやすいという問題があるほか、この種の椅子の肘掛けは、その長さが、椅子の座部の前端から後端までの長さよりかなり短い長さしかないものが多いため、不使用時に膝掛けの垂れ下がった部分が床面に接触し、膝掛けが汚れるという問題を解消することができる。
【図面の簡単な説明】
【００１７】
【図１】本発明の椅子用座布団の一実施例を示し、（ａ）は平面図、（ｂ）は正面図、（ｃ）は側面図、（ｄ）は袖部の起伏状態を示す説明図である。
【図２】本発明の椅子用座布団の変形実施例を示し、（ａ）は平面図、（ｂ）は正面図、（ｃ）は側面図、（ｄ）は袖部の起伏状態を示す説明図である。
【図３】本発明の椅子用座布団の変形実施例を示し、（ａ）は平面図、（ｂ）は正面図、（ｃ）は側面図、（ｄ）は袖部の起伏状態を示す説明図である。
【図４】本発明の椅子用座布団の変形実施例を示し、（ａ）は平面図、（ｂ）は正面図、（ｃ）は側面図、（ｄ）は袖部の起伏状態を示す説明図である。
【図５】本発明の椅子用座布団の起伏維持機構の一実施例を示し、（ａ）は斜視図、（ｂ）は側面図（（ａ）のＸ方向から見た説明図）、（ｃ）は正面図（（ａ）のＹ方向から見た説明図）である。
【図６】本発明の椅子用座布団の起伏維持機構の一実施例を示し、（ａ１）は起伏維持機構を配設した袖部の説明図、（ａ２）は（ａ１）の袖部を座部に付設した状態を示す説明図、（ｂ１）は起伏維持機構を配設した袖部の説明図、（ｂ２）は（ｂ１）の袖部を座部に付設した状態を示す説明図である。
【図７】本発明の椅子用座布団に取り付けて用いる膝掛け部を示し、（ａ）は膝掛け部の一実施例の平面図、（ｂ）は背もたれ部を備えた膝掛け部の一実施例の平面図、（ｃ）は背もたれ部を備えた膝掛け部の変形実施例の平面図である。
【図８】本発明の椅子用座布団に膝掛け部を取り付けた状態を示し、（ａ）は平面図、（ｂ）は正面図、（ｃ）は側面図である。
【図９】本発明の椅子用座布団に背もたれ部を備えた膝掛け部を取り付けた状態を示し、（ａ）は平面図、（ｂ）は正面図、（ｃ）は側面図である。
【発明を実施するための形態】
【００１８】
以下、本発明の椅子用座布団の実施の形態を、図面に基づいて説明する。
【００１９】
図１に、本発明の椅子用座布団の一実施例を示す。
この椅子用座布団１は、椅子（図示省略）に装着して使用するもので、座部１１の両側に袖部１２を付設してなる座布団であって、袖部１２を座部１１の表面に沿って内側に倒伏させた状態と起立させた状態とに選択的に維持することができる起伏維持機構２を備えるようにしている。
そして、この椅子用座布団１においては、座部１１の後端に背当て部１３を付設するようにし、この背当て部１３と袖部１２との間にも、同様に起伏維持機構２を備えるようにしている。
【００２０】
この場合において、座部１１、袖部１２及び背当て部１３には、特に限定されるものではないが、例えば、綿状の繊維素材や発泡ポリウレタン樹脂等の発泡樹脂素材を、織布、編布、毛布等の布地からなる外包材で覆ったクッション性を備えたブロック状の構造体を好適に用いることができる。
そして、座部１１と袖部１２及び背当て部１３とは、外包材同士を縫い合わせること等によって直接接続するようにしたり、起伏維持機構２を介して着脱可能に接続するようにすることができるが、いずれの場合も、袖部１２を座部１１の表面に沿って内側に倒伏させた状態にできるようにする。
【００２１】
起伏維持機構２は、磁石、磁石と磁性体等の磁着手段から構成したり、面ファスナ、スナップファスナ等の各種のファスナから構成したり、さらに、これらを組み合わせて構成することができる。
【００２２】
座部１１と袖部１２及び背当て部１３との接続箇所の配置は、図１に示すように、袖部１２及び背当て部１３の基部を座部１１の上に配置するようにするほか、図２に示す変形実施例のように、袖部１２の基部に座部１１の端面が当接するように配置するようにしたり、図３に示す変形実施例のように、袖部１２の基部を座部１１の端部に形成した段部の上に配置するとともに、背当て部１３の基部に座部１１の端面が当接するように配置するようにすることができる。
そして、座部１１と袖部１２の接続箇所及び背当て部１３と袖部１２の接続箇所には、上記の起伏維持機構２を配設することによって、袖部１２を座部１１の表面に沿って内側に倒伏させた状態と起立させた状態とに選択的に維持することができるようにする。
【００２３】
さらに、図４に示す変形実施例のように、背当て部１３と袖部１２の接続箇所に沿って支持部１４を配設し、支持部１４と袖部１２の接続箇所には、上記の起伏維持機構２として、例えば、磁石と磁性体（鉄板）を配設することによって、袖部１２を座部１１の表面に沿って内側に倒伏させた状態と起立させた状態とに選択的に維持するように、特に、起立状態を強固に維持するようにすることもできる。
【００２４】
ところで、起伏維持機構２は、磁着手段やファスナから構成することができるが、図５〜図６に、これらを組み合わせて構成する場合の例を示す。
具体的には、座部１１と袖部１２の接続箇所の両端部に配設する磁着手段を磁石２１と磁性体（鉄板）２２から構成し、その間に配設するファスナを面ファスナ２３から構成することができる。
この場合、面ファスナ２３は、座部１１及び袖部１２にシート片１１ａ、１２ａを介して配設するようにし、これにより、袖部１２を座部１１の表面に沿って内側に倒伏させた状態と起立させた状態とに選択的に維持することができるようにする。
【００２５】
また、この椅子用座布団１は、図７〜図９に示すように、椅子に座った状態で膝部を包み込むことができるようにしたシート材を用いた膝掛け部３を、椅子用座布団１に取着手段４１を介して一体的に取り付けるようにすることができる。
この膝掛け部３は、椅子に座った状態で膝部を包み込んで十分に保温することができるとともに、図８〜図９に示すように、膝掛け部３を構成する布地を、膝部を十分に包み込むことができる大きさにしても、不使用時に袖部１２の上縁から延設された布地からなる膝掛け部３の垂れ下がった部分が床面に接触することがなく、膝掛け部３が汚れることを防止することができ、このため、椅子から離れる際に膝掛け部３を丁寧に折り畳む必要がなく、取り扱いも容易となる。
これにより、膝掛けを単独で用いる場合の、膝掛けがずり落ちやすいという問題があるほか、この種の椅子の肘掛けは、その長さが、椅子の座部の前端から後端までの長さよりかなり短い長さしかないものが多いため、不使用時に膝掛けの垂れ下がった部分が床面に接触し、膝掛けが汚れるという問題を解消することができる。
【００２６】
この場合において、膝掛け部３は、特に限定されるものではないが、厚手の織布、編布、毛布等の保温性を有する布地を好適に用いることができる。
膝掛け部３を構成する布地は、図７（ａ）及び図８に示すように、矩形（特に限定されるものではないが、例えば、約９００ｍｍ×約１４００〜１５００ｍｍ。他の例でも同じ。）の布地を用いて、椅子用座布団１の座部１１に取着手段４１としての面ファスナを介して一体的に取り付けるようにしたり、図７（ｂ）及び図９に示すように、背当て部１３に被せて使用する袋状の背当て覆い部３１を付設した矩形の布地を用いて、椅子用座布団１の座部１１に取着手段４１としての面ファスナを介して一体的に取り付けるようにしたり（この場合、さらに、背当て覆い部３１と膝掛け部３に付設したシート片３２とを、取着手段４２としての面ファスナを介して一体的に取り付けるようにすることもできる。）、図７（ｃ）に示すように、背当て部１３に被せて使用する背当て覆い部３１（この場合、さらに、背当て覆い部３１を取着手段４３としての面ファスナを配設したシート片３２を介して袋状に形成するようにすることもできる。）を付設した矩形の布地を用いて、椅子用座布団１の座部１１に取着手段４１としての面ファスナを介して一体的に取り付けるようにすることができる。
【００２７】
以上のとおり、この椅子用座布団１は、袖部１２を座部１１の表面に沿って内側に倒伏させた状態と起立させた状態とに選択的に維持することができる起伏維持機構２を備えてなるようにすることにより、袖部１２を座部１１のほぼ全長に亘って設けるようにした袖部１２を起立させた状態に維持することによって、従来の椅子が有する、身体を冷えさせたり、座っている人の着衣が見えるため、着衣の状態に気を配る必要があるという問題を解消することができる。
また、背当て部１３によって、背中側の保温性を高めることができる。
そして、この椅子用座布団１を、特に、肘掛けが備えられていない椅子に適用することにより、袖部１２を座部１１の表面に沿って内側に倒伏させた状態に維持することによって、袖部１２が椅子を机の空間に収納する際の邪魔にならず、椅子を机の空間に収納することができる。
【００２８】
以上、本発明の椅子用座布団について、その実施例に基づいて説明したが、本発明は上記実施例に記載した構成に限定されるものではなく、各実施例に記載した構成を適宜組み合わせる等、その趣旨を逸脱しない範囲において適宜その構成を変更することができるものである。
【産業上の利用可能性】
【００２９】
本発明の椅子用座布団は、身体を冷えさせたり、座っている人の着衣が見えるため、着衣の状態に気を配る必要があるという問題を解消することができるようにしながら、袖部が椅子を机の空間に収納する際に邪魔になるという問題を解消することができるものであることから、事務用として汎用されている椅子に装着して使用する座布団の用途を始めとして、各種椅子に装着して使用する座布団の用途に広く用いることができる。
【符号の説明】
【００３０】
１  椅子用座布団
１１  座部
１１ａ  シート片
１２  袖部
１２ａ  シート片
１３  背当て部
１４  支持部
２  起伏維持機構
２１  磁石
２２  磁性体（鉄板）
２３  面ファスナ
３  膝掛け部
３１  背当て覆い部
４１  取着手段
４２  取着手段
４３  取着手段
【図１】
2016112204.tif 000003
【図２】
2016112204.tif 000004
【図３】
2016112204.tif 000005
【図４】
2016112204.tif 000006
【図５】
2016112204.tif 000007
【図６】
2016112204.tif 000008
【図７】
2016112204.tif 000009
【図８】
2016112204.tif 000010
【図９】
2016112204.tif 000011